(57)【特許請求の範囲】
【請求項１】
発泡合成樹脂フォームをアルミラミネートフィルムで被覆して、真空雰囲気中で該フィルムをシールし、シール部を形成すると共に、シール部が交わる角部分にしわ部を形成する真空断熱材と、該真空断熱材を収容する断熱性を有するブロック体とよりなる断熱壁部材において、ブロック体は、真空断熱材を収容する収容部を有する第１のブロック体と真空断熱材を収容する収容部を有する第２のブロック体を備え、第１のブロック体の収容部と第２のブロック体の収容部のコーナー部分には壁部を切り欠いた切欠部を設け、真空断熱材はしわ部を該切欠部に配置させて第１のブロック体と第２のブロック体に挾持されてなる断熱壁部材。
【発明の詳細な説明】
【０００１】
【発明の属する技術分野】
本発明は、冷凍車や保冷車等に搭載する移動運搬用の冷凍庫、冷蔵庫、保冷庫等の断熱壁部材に関する。
【０００２】
【従来の技術】
真空断熱パネルは、表１に示すように、熱伝導率が低く、断熱庫の壁材として用いることにより熱侵入量を少なくすることができるため、近年冷蔵庫の壁構造に利用され始めている（特開平６−３３７０９１号公報、特開平９−２６９１７７号公報参照）。
【表１】
0003978851.tif 000002
【０００３】
ここで、真空断熱パネルを配設した冷蔵庫の壁構造を図９に示し、構成を説明する。
真空断熱パネル３０はアルミラミネートフィルム３１内に連続発泡ウレタンフォーム断熱材３３を挿入し、真空雰囲気中で端縁をシール３５して構成されている。
このように構成される真空断熱パネル３０は冷蔵庫の外板２の内側に接着剤２０で取り付けられる。そして、外板２と内板３との間を注入発泡ウレタン４で埋める構造となっている。真空断熱パネル３０は片面を接着剤で外板に、他の一面を発泡ウレタンに接着した状態で固定されている。ここで、符号２９は高温冷媒配管を示す。
【０００４】
【発明が解決しようとする課題】
上記冷蔵庫等に用いられている構造の真空断熱パネルを配設した壁構造を、冷凍車、冷蔵車等の移動用の断熱庫に用いた場合、走行による振動や揺れによる外力により、真空断熱材（パネル）に大さな負荷が加わる。繰返すねじれ、曲げ、振動によりアルミラミネートフィルム３１のシール部３５には引っ張りや摩擦のストレスが発生し、シール部の破断、剥離が起こり、真空状態が維持できなくなり、断熱性能が低下する不具合が発生した。
【０００５】
そこで、真空断熱パネルが受けるこの過大な負荷を回避させる手段として、真空断熱パネルを芯として配置し、全周を注入発泡成形で構成する断熱性のある発泡プラスチックフォームのカバーで被覆したカバー付きの真空断熱パネルを、断熱庫の外板、あるいは内板に貼り付け、断熱真空パネルに直接負荷がかからないようにしていた。
【０００６】
しかし、注入発泡成形ができないスチレン等のプラスチック材料でカバーを形成する場合、カバーの角部が真空断熱パネルの角部の形状にあわないと、カバー内への真空断熱パネルの組付け時、あるいは壁部材として断熱庫の壁に用いた場合、摩擦、振動、ねじれ等によりアルミラミネートフィルムが破損し、真空状態が維持出来なくなり、やはり、断熱性能が低下してしまう問題があった。
【０００７】
そこで、本発明は上記した不具合を解消し、走行による振動や揺れに強い壁部材を提供するものである。
【０００８】
【課題を解決するための手段】
本発明の断熱壁部材は、シール部にしわ部を有する真空断熱材と、真空断熱材を収納する収容部を設けた第１のブロック体と真空断熱材を収納する収容部を設けた第２のブロック体を備えている。そして、第１のブロック体の収容部と第２のブロック体の収容部のコーナー部分には壁部を切り欠いた切欠部を設け、真空断熱材のしわ部をブロック体の切欠部に配置させた状態で真空断熱材を第１のブロック体と第２のブロック体に挾持させて構成する。
【０００９】
また、プラスチックフォーム板より切りだした板体と、板体に積層して真空断熱材の収容部を構成する壁板とにより構成するブロック体は、壁板の突合せ部に間隙を設けて、真空断熱材のしわ部を該間隙に配置させて真空断熱材を挾持する構成を有する。
【００１０】
【発明の実施の形態】
本発明の壁部材の実施の形態を図面を参照して説明する。
実施の形態１
この実施の形態はスチレンビーズを発泡成形させて、ブロック体を形成する場合を示す。
図１は壁部材の展開説明図、図２は壁部材の斜視図、図４は真空断熱材の斜視図である。
【００１１】
壁部材５０は真空断熱材６０と、真空断熱材６０を収容する断熱性を有するブロック体７０よりなる。真空断熱材６０はアルミラミネートフィルム６１内に連続発泡ウレタンフォーム断熱部６３を挿入し、真空雰囲気中で端縁をシールして構成されている。この真空断熱材６０は、真空状態でアルミラミネートフィルム６１をシールしてシール部６１０を形成するとき、シール部６１０が交わる角部にしわが発生し、三角錐形状の嵩高なしわ部６１５が存在している。
【００１２】
ブロック体７０はスチレンフォームにより形成した第１のブロック体７０Ａと第２のブロック体７０Ｂよりなる。
第１、第２ブロック体７０Ａ，７０Ｂは真空断熱材６０を収容する壁部７３で囲まれた収容部７１Ａ，７１Ｂを形成している。
そして、第１、第２のブロック体７０Ａ，７０Ｂの壁部７３Ａ，７３Ｂのコーナー部分に真空断熱材６０のしわ部６１５を収容する切欠部７５を形成している。図１には、第２のブロック体７０Ｂの壁部７３Ｂのコーナー部分に形成する切欠部７５が示されている。ここでは、第２ブロック体７０Ｂにより切欠部を説明する（図３参照）。
【００１３】
切欠部７５は壁部７３Ｂの角部に真空断熱材６０のしわ部６１５の形状、三角錐形状にあわせた、断面三角形となる切り欠きとなっている。この切欠部７５は第２のブロック体７０Ｂの４角に設けている。
第１のブロック体７０Ａの４角にも同様な切欠部が設けられている。
このように構成する第１のブロック体７０Ａ、および第２のブロック体７０Ｂの収容部７１Ａ，７１Ｂに真空断熱材６０の一面を接着剤を介して接着固定する。
このとき、真空断熱材６０のしわ部６１５を第１ブロック体７０Ａ，第２ブロック体７０Ｂの切欠部７５に一致させて配置する。
そして、第１のブロック体７０Ａの壁部７３Ａと第２ブロック体７０Ｂの壁部７３Ｂを接着して壁部材５０を形成している。
【００１４】
すなわち、壁部材５０内に収容される真空断熱材６０のしわ部６１５は第１のブロック体７０Ａと第２のブロック体７０Ｂで形成される略三角錐形状の切欠部７５内に収容される。このように、組付けの段階で真空断熱材６０のしわ部６１５が各ブロック体７０Ａ，７０Ｂに当接して摩擦、ねじれが生じることがない。
【００１５】
壁部材５０は、熱伝導率が低い真空断熱材６０を断熱機能を有するブロック体７０に収納させて断熱機能を有する部材を構成する。
また、ブロック体７０内に収容される真空断熱材６０は、壁部材５０が振動したり、揺れてブロック体に外力が加わったとき、ブロック体７０が外力を緩衝して、収容される真空断熱材６０を保護する。さらに、真空断熱材６０のシール部６１０の４角にできるしわ部６１５は、上下ブロック体７０Ａ，Ｂの４角に形成される切欠部７５に収容されているので、断熱壁部材５０に摩擦、振動、ねじれ等の負荷が加わったとき、真空断熱材６０のしわ部６１５はブロック体７０の切欠部７５に収容されて保護され、アルミラミネートフィルムを破損することがない。
【００１６】
この構成による壁部材５０を冷凍車、冷蔵車等の移動用の断熱庫の壁構造として用いたとしても、走行による振動、揺れ等により、部材内に収容される真空断熱材の真空状態が破壊されることなく、長期間真空状態が維持される。
【００１７】
実施の形態２
この実施の形態はプラスチックフォーム板によりブロック体を形成した場合を示す。
図６は壁部材の展開説明図、図７は壁部材の斜視図である。
プラスチックフォーム板から所定の寸法の底板、第１の板８１Ａと第２の板８１Ｂを切り出す。次に、真空断熱材６０を収容する収容部を形成する所定の寸法の壁板８３Ａ，８３Ｂを切り出す。
【００１８】
第１の板８１Ａの端縁４辺に第１の壁板８３Ａを接着固定する。第２の板８１Ｂの端縁４辺に第２の壁板８３Ｂを接着固定する。第１の板８１Ａ、第１の壁板８３Ａ、第２の板８１Ｂ、第２の壁板８３Ｂの積層体をブロック体とする。
このとき、第１の壁板８３Ａ、および第２の壁板８３Ｂはその突合せ部８３０において、内側に間隙８５を形成するように突合せを行う。
第１の板８１Ａの壁板８３Ａで囲まれた部分、および第２の板８１Ｂの壁板８３Ｂで囲まれた部分に、真空断熱材６０を収容する。
真空断熱材６０はその角部分にしわ部６１５を有しているので、このしわ部６１５を各壁板の突合せ部８３０の間隙８５に位置するように配置する。
【００１９】
このように構成される壁部材８０は、熱伝導率が低い真空断熱材６０を断熱機能を有するブロック体に収納させて断熱機能を有する部材を構成する。
また、ブロック体内に収容される真空断熱材６０は、壁部材８０が振動したり、揺れてブロック体に外力が加わったとき、ブロック体に外力が緩衝されるとともに、真空断熱材６０の４角にできるしわ部６１５は、壁板８３Ａ，Ｂの突合せ部に形成される間隙８５に収容されているので、アルミラミネートフィルムを破損することがない。
【００２０】
この構成による壁部材８０を冷凍車、冷蔵車等の移動用の断熱庫の壁構造として用いたとしても、走行による振動、揺れ等により、部材内に収容される真空断熱材の真空状態が破壊されることなく、長期間真空状態が維持される。
【００２１】
次に、上記に示す壁部材５０、８０を車両の断熱庫に用いた場合を説明する（図８参照）。
車両１は車体のフレーム５上に断熱荷箱１００を搭載した構造となっている。
断熱荷箱１００の壁構造は、外板１１０と内板（図示せず）との間に、壁部材、例えば、壁部材５０を配設している。
壁部材５０は適宜サイズの真空断熱部材をブロック体に収容して構成されており、この壁部材５０を複数個組み合わせ、並設して断熱荷箱１００の壁構造としている。
【００２２】
断熱荷箱１００の壁を構成する個々の断熱壁部材５０は、プラスチックフォーム（ブロック）で真空断熱部材６０を挾持すると共に、シール部の端部のしわ部は切欠部、あるいは間隙に収容されるので、真空断熱部材のしわ部に直接負荷がかからず、走行による振動、揺れ等によるストレスが発生することがない。
このように、この壁部材は走行時の揺れ、振動により断熱性を損なうことがなく、長期間の使用に耐えることができる。
【００２３】
【発明の効果】
本発明により、移動用断熱庫の壁材として、振動や変形による負荷に耐えうる、真空断熱部材を内装する壁部材により断熱効果が高い壁部材の長期の使用が可能となった。
【図面の簡単な説明】
【図１】本発明による壁部材の展開説明図。
【図２】壁部材の斜視図。
【図３】切欠部の拡大図。
【図４】真空断熱材の斜視図。
【図５】真空断熱材のしわ部の拡大図。
【図６】他の実施の形態による壁部材の展開説明図。
【図７】壁部材の斜視図。
【図８】冷蔵車の壁構造の説明図。
【図９】従来の冷蔵庫の壁構造を示す断面図。
【符号の説明】
５０，８０  壁部材
６０  真空断熱材、
６１  アルミラミネートフィルム
６１０  シール部
６１５  しわ部
６３  発泡ウレタンフォーム断熱部
７０  ブロック体
８１Ａ，８１Ｂ  第１、第２の板
８３Ａ，８３Ｂ  第１、第２の壁板
８５  間隙
８３０  突合せ部
【図１】
0003978851.tif 000003
【図２】
0003978851.tif 000004
【図３】
0003978851.tif 000005
【図４】
0003978851.tif 000006
【図５】
0003978851.tif 000007
【図６】
0003978851.tif 000008
【図７】
0003978851.tif 000009
【図８】
0003978851.tif 000010
【図９】
0003978851.tif 000011